(57)【特許請求の範囲】
【請求項１】
原稿を読み取る画像読み取り部と画像を転写紙に記録する画像形成部によって構成された画像形成装置において、
外装カバーに、前記画像形成装置の制御基板にアクセス可能で、前記画像形成装置とは別体をなす記憶媒体の読み取り／書込み装置を設け、
前記外装カバーには、前記読み取り/書込み装置を前記制御基板へ接続するためのハーネスを画像形成装置内へ通すハーネス出口を備え、
前記外装カバーの内面側で前記ハーネス出口を設けた部位に、該ハーネス出口側から画像形成装置内へ通されたハーネスを曲折させる逆押し込み防止形状部を設け、
該逆押し込み防止形状部は、前記ハーネス出口から押し入れて当たったハーネスをクランク状に曲げる天板部を備えて押し込んだ前記ハーネスが画像形成装置内部の危険部位に到達することを防止する、
ことを特徴とする画像形成装置。
【請求項２】
請求項１の画像形成装置において、前記読み取り／書込み装置を、前記画像形成装置の読み取り部のカバー裏面より取り付ける構成としてなることを特徴とする画像形成装置。
【請求項３】
請求項２の画像形成装置において、前記読み取り部のカバー裏面には、前記読み取り／書込み装置のハーネスを保持する保持形状部を設けたことを特徴とする画像形成装置。
【請求項４】
請求項１から３のいずれかの画像形成装置において、前記読み取り／書込み装置が、前記画像形成装置の構造体に接続する弾性体からなる導電性部材を備えたことを特徴とする画像形成装置。
【発明の詳細な説明】
【技術分野】
【０００１】
本発明は、記憶媒体の読み取り／書込み装置を備えた画像形成装置に関する。
【背景技術】
【０００２】
例えば電子写真方式を用いた画像形成装置においては、サービスマンが市場において更新ソフトを記憶させたＳＤカードやＵＳＢメモリをコントローラボードに接続しソフトバージョンアップなどを行うことがある。ところが、多くの画像形成装置はコントローラボードなどが後方に設置されていることが多いため、サービスマンが画像形成装置後方に回り込まなければならずアクセス性が悪かった。
【０００３】
また、近年ではユーザーがＰＣ等で作成した文書をＳＤカードやＵＳＢメモリなどに保存させ、直接画像形成装置に接続させて画像出力させることも提案され始めているので、より利便性が必要となってきている。
【特許文献１】特開２００５−２５２７０６号公報
【発明の開示】
【発明が解決しようとする課題】
【０００４】
特許文献１においては、画像形成装置の操作部にＳＤカードやＵＳＢメモリなどの差込スロットを設置しているが、すべての画像形成装置において対応してしまうことになり、不要なユーザーに対しては余分な出費となっていた。またハーネスが押し込まれて画像形成装置内部の危険部位と接触してしまうことがあった。本発明は上述の不具合を解決することを目的とする。
【課題を解決するための手段】
【０００５】
請求項１に係る画像形成装置は、
原稿を読み取る画像読み取り部と画像を転写紙に記録する画像形成部によって構成された画像形成装置において、
外装カバーに、前記画像形成装置の制御基板にアクセス可能で、前記画像形成装置とは別体をなす記憶媒体の読み取り／書込み装置を設け、
前記外装カバーには、前記読み取り/書込み装置を前記制御基板へ接続するためのハーネスを画像形成装置内へ通すハーネス出口を備え、
前記外装カバーの内面側で前記ハーネス出口を設けた部位に、該ハーネス出口側から画像形成装置内へ通されたハーネスを曲折させる逆押し込み防止形状部を設け、
該逆押し込み防止形状部は、前記ハーネス出口から押し入れて当たったハーネスをクランク状に曲げる天板部を備えて押し込んだ前記ハーネスが画像形成装置内部の危険部位に到達することを防止する、
ことを特徴とする。
【０００６】
請求項２に係る画像形成装置は、請求項１の画像形成装置において、前記読み取り／書込み装置を、前記画像形成装置の読み取り部のカバー裏面より取り付ける構成としてなることを特徴とする。
【０００７】
請求項３に係る画像形成装置は、請求項２の画像形成装置において、前記読み取り部のカバー裏面には、前記読み取り／書込み装置のハーネスを保持する保持形状部を設けたことを特徴とする。
【０００８】
請求項４に係る画像形成装置は、請求項１から３のいずれかの画像形成装置において、前記読み取り／書込み装置が、前記画像形成装置の構造体に接続する弾性体からなる導電性部材を備えたことを特徴とする。
【発明の効果】
【００１５】
本発明によれば、読取／書込み装置は、必要とされるユーザーのみに提供することが可能であり、また複写機等の画像形成装置のどこにでも設置できるので、ユーザーやサービスマンの操作しやすいところに設置でき、ＳＤカードやＵＳＢメモリ等の読取／書込み装置のアクセス性がよくなるとともに、ハーネス逆押し込み防止部を設けることで、ハーネスが押し込まれて画像形成装置内部の危険部位と接触してしまうことがなく、安全が確保できる。
【００１６】
また本発明に寄れば、読取／書込み装置は外装カバーに取り付けるので、複写機等の画像形成装置の本体に組み付けることに比べ簡単に組付けが可能となる。
【発明を実施するための最良の形態】
【００１７】
以下本発明を実施するための最良の形態を、図に示す実施例を参照して説明する。
【実施例１】
【００１８】
図１は、本発明の実施対象となる電子写真方式を用いた複写機１の全体を示す概念的断面図である。この複写機１は、上部に原稿を読み取るスキャナ部２、中央部にスキャナ部２で読み取った画像信号を転写紙に顕像化させるプリンタ部３、転写紙をストックしている給紙トレイ４から構成され、スキャナ部２の前面には操作部８が設けられている。また、転写紙は複写機１で作像されたあと、スキャナ部２とプリンタ部３の間に設けられた排紙トレイ部９に排出される。
【００１９】
図２は、複写機１を後方から見た図であり、後方部は電装基板類や図示しない駆動部などが設置されているが、左側（図２の符号Ａ側）にはコントローラボード７が設置され、コントローラボード７にはＵＳＢコネクタ７ａが設けられている。
【００２０】
そして、コントローラボード７のＵＳＢコネクタ７ａと中継ハーネス６によってＳＤカードとＵＳＢメモリの読取／書込み装置５（以下ＳＤ／ＵＳＢ−ｂｏｘ５とする）が接続され、複写機１に設置されている。なおこのＳＤ／ＵＳＢ−ｂｏｘ５は、スキャナ２の左前部に限らず、複写機１のどこにでも設置は可能である。例えば、ＳＤ／ＵＳＢ−ｂｏｘ５の裏面に両面テープ等を設ければ、複写機１のどこにでも設置は可能となる。
【００２１】
このＳＤ／ＵＳＢ−ｂｏｘ５の構成は図３に示すように、ＳＤ／ＵＳＢ−ｂｏｘ５の外装５ａ内に電装基板５ｂが設けられ、その電装基板５ｂ上にＳＤカードスロット５ｃとＵＳＢコネクタ５ｄが設けられており、電装基板５ｂから中継ハーネス６により、複写機１の後方にあるコントローラボード７に接続されている。また、ＳＤ／ＵＳＢ−ｂｏｘ５はスキャナ部２に設置されてもいるし、かつ、そのスキャナ部２の前面部に設置されている。また、スキャナ部２の前面部でも、コントローラボード７と同じ複写機１の左側に設置している。
【００２２】
なお、ＳＤ／ＵＳＢ−ｂｏｘ５の外形寸法は、スキャナ部２の厚さと同等するか、またはそれ以下とすることが好ましい。例えば、ＳＤ／ＵＳＢ−ｂｏｘ５の上面はスキャナ部の上カバーの上面より低い位置となるように設置する。このＳＤ／ＵＳＢ−ｂｏｘ５の構成は図３に示すように、ＳＤ／ＵＳＢ−ｂｏｘ５の外装５ａ内に電装基板５ｂが設けられ、その電装基板５ｂ上にＳＤカードスロット５ｃとＵＳＢコネクタ５ｄが設けられており、電装基板５ｂから中継ハーネス６により、複写機１の後方にあるコントローラボード７に接続されている。
【００２３】
すなわち、コントローラボード７のＵＳＢコネクタ７ａと中継ハーネス６によってＳＤ／ＵＳＢ−ｂｏｘ５が接続され、複写機１に設置されていることにより、ＳＤ／ＵＳＢ−ｂｏｘ５は、必要とされるユーザーのみに提供することが可能であり、また複写機１のどこにでも設置できるので、ユーザーやサービスマンの操作しやすいところに設置でき、ＳＤカードやＵＳＢメモリのアクセス性がよくなる。
【００２４】
すなわちＳＤ／ＵＳＢ−ｂｏｘ５が、スキャナ部２に設置されているので、設置位置が操作部の高さ近傍となるため、よりユーザーなどのアクセス性がよくなる。またＳＤ／ＵＳＢ−ｂｏｘ５が、スキャナ部２の前部に設置されているので、設置位置が複写機１の前後方向に対しても操作部の近傍となるため、よりユーザーなどのアクセス性がよくなる。
【００２５】
またＳＤ／ＵＳＢ−ｂｏｘ５が、スキャナ部２の前部で、なおかつコントローラボード７と同方向に設置されているので、ユーザーなどのアクセス性がよくなると同時に中継ハーネス６の長さも短くすることが可能となり、低コスト化が図れる。
【００２６】
さらに、ＳＤ／ＵＳＢ−ｂｏｘ５がスキャナ部２の上下方向にはみ出ることがないので、スキャナ部２の下にある排紙トレイ９に蓄積された転写紙が、ＳＤ／ＵＳＢ−ｂｏｘ５に引っかかることがなく安定したスタック性を維持できる。
【００２７】
またさらに、ＳＤ／ＵＳＢ−ｂｏｘ５がスキャナ部２の上カバーより低い位置にすることで、ユーザーが原稿をスキャナ部２のコンタクトガラス部にセットする際に邪魔になることが防げ、操作性がよい状態で使用できる。
【実施例２】
【００２８】
図４、図５は本発明の実施例２を示す斜視図である。本実施例では、ＳＤ／ＵＳＢ−ｂｏｘ５は、図４、図５に示すように、スキャナ部２の外装カバー２ａに取り付けてある。取り付け方は、外装カバー２ａの裏面からネジ１０により固定しているが、もちろんその他の固定方法でも良い。すなわち、ＳＤ／ＵＳＢ−ｂｏｘ５は外装カバーに取り付けるので、複写機１の本体に組付けることに比べ簡単に組付けが可能となる。またＳＤ／ＵＳＢ−ｂｏｘ５をスキャナカバー２ａに設置するので、設置位置が操作部の高さ近傍となるため、よりユーザーなどのアクセス性がよくなる。さらに、ＳＤ／ＵＳＢ−ｂｏｘ５がスキャナカバー２ａの裏面より取り付けられているため、取り付けネジがカバーの裏側になり、ユーザーから見えない状態となるため、ユーザーが間違えて外してしまうことを防ぐことができる。
【実施例３】
【００２９】
図６は本発明の実施例２を示す斜視図である。本実施例では、外装カバー２ａの裏面に補強リブ２ｂを設け、そのカバーの前後にわたり一部分に中継ハーネス６の保持用の切り欠き２ｃを設けている。すなわち、スキャナカバー２ａの裏面に中継ハーネス６を保持することができるため、ＳＤ／ＵＳＢ−ｂｏｘ５と中継ハーネス６の両方をスキャナカバー２ａに組付けることができるので、複写機１に組付ける際に容易に組付けが可能となる。この切り欠き２ｃの幅Ｂと中継ハーネス６の線径Ｃと関係は、Ｂ≦Ｃであり、なおかつ中継ハーネス６が挿入可能である幅となっている。
【実施例４】
【００３０】
図７、図８は本発明の実施例４を示す斜視図である。本実施例では、ＳＤ／ＵＳＢ−ｂｏｘ５の電装基板５ｂまたは取り付けブラケット５ｅには板バネ５ｆが設けられている。本実施例では、図９に示すように、ＳＤ／ＵＳＢ−ｂｏｘ５を複写機１に取り付けた状態では、板バネ５ｆは複写機１の構造体１１に接触している。すなわち、ＳＤ／ＵＳＢ−ｂｏｘ５が複写機１の構造体に接地することができるので、ＳＤ／ＵＳＢ−ｂｏｘ５に静電気が帯電することなく安定して使用することが可能となる。また板バネが弾性体であるため、ＳＤ／ＵＳＢ−ｂｏｘ５を本体に組付けることで確実に接地することが出来る。
【実施例５】
【００３１】
図１０は、本発明の実施例５を示す断面図である。本実施例は、中継ハーネス６の通し方についての実施例であり、図示のように、スキャナ部外装カバー２ａの裏面を通ってきた中継ハーネス６は、スキャナ部外装カバー２ａの後部でカバーに設けられたハーネス出口から外側に出て、コントローラボード７に設けられたＵＳＢコネクタ７ａに接続されている（図１０（Ａ））。ただし、何らかの理由によりコントローラボード７から抜いた中継ハーネス６をカバー２ａのハーネス出口から逆に装置内部に押し込んだり、あるいは長すぎた中継ハーネス６の余分な部分を装置内部に押し込んで長さ調整した場合に、押し込まれた中継ハーネス６は装置内部のスキャナ部２の後部に押し込まれることになる。スキャナ部２の後部には光源であるランプの制御用基板や駆動モータ等の高圧部や回転部品が設けられる場合が多く（図示は省略する）、そこに中継ハーネス６が押し込まれてくると危険な状態が発生する可能性がある（図１０（Ｂ））。
【００３２】
そこで図１０（Ｃ）に示すように、スキャナ部外装カバー２ａとスキャナ内部の危険区域とを隔てるために防護壁１２ａを設け、中継ハーネス６を出口から逆に押し込まれた場合でも中継ハーネス６がスキャナランプ制御基板１１ａなどが存在する危険な区域に侵入し、操作者や複写機１の装置本体に危険な状態が発生することを防げるようにしてある。
【実施例６】
【００３３】
図１１は、本発明の実施例６を示す断面図である。本実施例では、防護障壁が箱状の形状をなしている。押し込まれた中継ハーネス６はこの箱状防護障壁１３ａとスキャナ外装カバー２ａとで形成される小空間に収まるため、より安全性が高まる。また、この箱状防護障壁１３ａにハーネス６の経路を強制するガイドリブ１３ｂを設けることにより（図１１（Ｂ））、押し込まれたハーネス６が折れ曲がり破損（断線）することが無く、安全に複写機１の装置本体内部に収納することができる。
【実施例７】
【００３４】
図１２は、本発明の実施例７を示す断面図である。本実施例では、スキャナ部外装カバー２ａのハーネス出口部にクランク状のハーネス逆押し込み防止形状部１４ａが設けられており、中継ハーネス６を押し込もうとするとハーネス逆押し込み防止形状部１４ａの天板部にあたるために押し込むことができない。また、横方向（図の左右方向）には大きな力を加えることができない構成のため、横方向に中継ハーネス６を押し込むこともできない。
【実施例８】
【００３５】
図１３は、本発明の実施例８を示す断面図である。本実施例では、ハーネス保持部材１５ａにはカバー２ａとは別部材の弾性部材を用い、これを設けており、中継ハーネス６を保持部材１５ａのスリットから通してカバー２ａの出口部に押し込むことで中継ハーネス６を保持し、複写機１の外側から中継ハーネス６を逆に押し込むことを防止している。
【００３６】
上述の各種実施例により示したように、本発明では、ＳＤ／ＵＳＢ−ｂｏｘは外装カバーに取り付けるので、複写機１等の画像形成装置の本体に組付けることに比べ簡単に組付けが可能となる。
またＳＤ／ＵＳＢ−ｂｏｘをスキャナカバーに設置するので、設置位置が操作部の高さ近傍となるため、よりユーザーなどのアクセス性がよくなる。
さらに、ＳＤ／ＵＳＢ−ｂｏｘがスキャナカバーの裏面より取り付けられているため、取り付けネジがカバーの裏側になり、ユーザーから見えない状態となるため、ユーザーが間違えて外してしまうことを防ぐことができる。
また、スキャナカバーの裏面に中継ハーネスを保持することができるため、ＳＤ／ＵＳＢ−ｂｏｘと中継ハーネスの両方をスキャナカバーに組付けることができるので、複写機等の画像形成装置本体に組付ける際に容易に組付けが可能となる。
また、ＳＤ／ＵＳＢ−ｂｏｘを複写機１等の画像形成装置の構造体に接地させることができるので、ＳＤ／ＵＳＢ−ｂｏｘに静電気が帯電することなく安定して使用することが可能となる。
さらに、板バネが弾性体であるため、ＳＤ／ＵＳＢ−ｂｏｘを本体に組付けることで確実に接地することができる。
また画像形成装置の本体内部の危険部位との間に防護の障壁を設けるため、中継ハーネスがカバーの出口部から逆に装置本体内部へ押し込まれたとしても危険が発生することがない。この防護障壁が箱状の形状をなしているものとすると、押し込まれた中継ハーネスはこの箱状防護障壁とスキャナ外装カバーとで形成される小空間に収まり、より安全性が高まる。
さらに、ハーネス逆押し込み防止部を設けることで、ハーネスが押し込まれて装置本体内部の危険部位と接触してしまうことがない。このハーネス逆押し込み防止のためのハーネス保持部材を別部材で設けることで、太さ、形状の異なるハーネスにおいても安全が確保できる。
【図面の簡単な説明】
【００３７】
【図１】本発明の実施対象となる電子写真方式を用いた複写機の全体を示す概念的断面図
【図２】図１の複写機を後方から見た図
【図３】ＳＤ／ＵＳＢ−ｂｏｘの構成を示す図
【図４】本発明の実施例２を示す斜視図
【図５】図４の背面側から見た拡大斜視図
【図６】図４の例の背面側から見た斜視図
【図７】本発明の実施例４のＳＤ／ＵＳＢ−ｂｏｘを示す正面側斜視図
【図８】図７の例の右側面側斜視図
【図９】図７の例の断面図
【図１０】本発明の実施例５を示す断面図
【図１１】本発明の実施例６を示す断面図
【図１２】本発明の実施例７を示す断面図
【図１３】本発明の実施例８を示す断面図
【符号の説明】
【００３８】
１：複写機
２：スキャナ部
２ａ：スキャナ部の外装カバー
２ｂ：補強リブ
２ｃ：切り欠き
３：プリンタ部
４：給紙トレイ
５：ＳＤ／ＵＳＢ−ｂｏｘ（読取／書込み装置）
５ａ：ＳＤ／ＵＳＢ−ｂｏｘの外装
５ｂ：電装基板
５ｃ：ＳＤカードスロット
５ｄ：ＵＳＢコネクタ
５ｅ：取り付けブラケット
５ｆ：板バネ
６：中継ハーネス
７：コントローラボード
７ａ：ＵＳＢコネクタ
８：操作部
９：排紙トレイ部
１０：ネジ
１１：複写機の構造体
１１ａ：スキャナランプ制御基板
１２ａ：防護壁
１３ｂ：ガイドリブ
１３ａ：箱状防護障壁
１４ａ：ハーネス逆押し込み防止形状部
１５ａ：ハーネス保持部材
Ｂ：ＳＤ／ＵＳＢ−ｂｏｘの外形寸法、切り欠きの幅
Ｃ：中継ハーネスの線径、スキャナ部の厚さ
Ｄ：スキャナ部２の上カバーの上面
Ｆ：ＳＤ／ＵＳＢ−ｂｏｘの上面
【図１】
0005182569.tif 000002
【図２】
0005182569.tif 000003
【図３】
0005182569.tif 000004
【図４】
0005182569.tif 000005
【図５】
0005182569.tif 000006
【図６】
0005182569.tif 000007
【図７】
0005182569.tif 000008
【図８】
0005182569.tif 000009
【図９】
0005182569.tif 000010
【図１０】
0005182569.tif 000011
【図１１】
0005182569.tif 000012
【図１２】
0005182569.tif 000013
【図１３】
0005182569.tif 000014